(57)【要約】【課題】  所望の指向性及びダイバーシチ効果をフレキシブルに実現可能なアンテナ装置を提供すること。【解決手段】  基板本体２と、該基板本体に形成されたグランド面ＧＮＤと、グランド面の一部を挟んで配された一対のアンテナ占有領域ＯＰ１，ＯＰ２と、一対のアンテナ占有領域内に設けられる一対のアンテナエレメント３Ａ，３Ｂとを備え、アンテナエレメントが、基端側の少なくとも一部が給電点ＦＰ近傍のグランド面の端辺に対して直交する方向に延在し、基端側の途中に受動素子Ｐ１ａ，Ｐ１ｂが接続されていると共に先端側にグランド面の端辺に沿った方向に延在するアンテナ素子ＡＴ１，ＡＴ２が接続され、一対のアンテナエレメントの基端側に配されたグランド面の端辺Ｇ１，Ｇ２が、一方に対して他方が異なる方向に延在していると共に少なくとも一方が基板本体２の前記端辺に対して傾斜している。【選択図】図１
2014033288.tif 000002
【特許請求の範囲】
【請求項１】
絶縁性の基板本体と、
該基板本体に金属箔でパターン形成されたグランド面と、
該グランド面が形成されていない領域として前記基板本体上に前記グランド面の一部を挟んで前記基板本体の一つの端辺側に配された一対のアンテナ占有領域と、
前記一対のアンテナ占有領域内に金属箔でパターン形成され前記グランド面近傍に配された基端側に給電点がそれぞれ設けられる一対のアンテナエレメントとを備え、
前記アンテナエレメントが、基端側の少なくとも一部が前記給電点近傍の前記グランド面の端辺に対して直交する方向に延在し、基端側の途中に受動素子が接続されていると共に先端側に前記グランド面の端辺に沿った方向に延在する誘電体アンテナのアンテナ素子が接続され、
前記一対のアンテナエレメントの基端側に配された前記グランド面の端辺が、一方に対して他方が異なる方向に延在していると共に少なくとも一方が前記基板本体の前記端辺に対して傾斜していることを特徴とするアンテナ装置。
【請求項２】
請求項１に記載のアンテナ装置において、
前記一対のアンテナエレメントの基端側に配された前記グランド面の端辺が、前記基板本体の前記端辺に直交する方向に対して４５°と−４５°とに傾斜して延在していることを特徴とするアンテナ装置。
【請求項３】
請求項１又は２に記載のアンテナ装置において、
前記一対のアンテナエレメントの前記アンテナ素子が、互いに反対側に先端を向けて延在していることを特徴とするアンテナ装置。
【請求項４】
請求項３に記載のアンテナ装置において、
前記アンテナエレメントが、前記基端側の途中に一端が接続され他端が前記給電点から離間した位置で前記グランド面に接続されたグランド接続延在部を有し、前記グランド接続延在部にインピーダンス調整用の受動素子が接続され、
前記一対のアンテナエレメントの前記グランド接続延在部が、互いに内側に向けて配されていることを特徴とするアンテナ装置。
【請求項５】
請求項１から４のいずれか一項に記載のアンテナ装置において、
前記アンテナ素子と前記グランド面との距離が、共振周波数に応じた波長をλとしたときに、λ／１６（１６分の１波長）以下に設定されていることを特徴とするアンテナ装置。
【請求項６】
請求項１から５のいずれか一項に記載のアンテナ装置において、
一対の前記給電点の間の距離が、共振周波数に応じた波長をλとしたときに、λ／４（４分の１波長）以下に設定されていることを特徴とするアンテナ装置。
【発明の詳細な説明】
【技術分野】
【０００１】
本発明は、指向性をフレキシブルに調整可能なアンテナ装置に関する。
【背景技術】
【０００２】
近年、携帯電話機や無線通信機能内蔵のノート型パーソナルコンピュータだけでなく様々な分野で無線通信機器が使用されるようになり、その薄型化や小型化が要望されている。このような要望に伴って、搭載されるアンテナ装置の形成領域や配置が制限されるようになり、必要とされる方向への指向性を得ることが難しい場合が多くなっている。
【０００３】
このため、従来、１つの基板上に２つのアンテナを設けた技術が検討されている。例えば、特許文献１には、回路基板に２つのチップアンテナが空間を介して配置されたダイバーシチアンテナ装置が記載されている。このダイバーシチアンテナ装置では、各チップアンテナを、回路基板の角部であって、第１のチップアンテナと第２のチップアンテナとが対向する方向の回路基板の長さ（Ｌｓ）に対するチップアンテナの長手方向の長さ（Ｌａ）の比（Ｌａ／Ｌｓ）を１／１０〜２／５となし、且つ回路基板の短辺からの長さｈを前記Ｌｓの１／１０程度となるように対向配置にしている。
【０００４】
また、特許文献２では、対をなす２つのアンテナを間隔を介して基板に配置し、各アンテナに同相の電界を励振させる時には、基板の長手方向の中心線を同相側指向方向基板中心線とし、逆相の電界を励振させる時には、基板の短手方向の中心線を逆相側指向方向基板中心線としたダイバーシチアンテナ装置が記載されている。
【先行技術文献】
【特許文献】
【０００５】
【特許文献１】特許第３９９７５１７号公報
【特許文献２】特開２００４−２８２１３６号公報
【発明の概要】
【発明が解決しようとする課題】
【０００６】
しかしながら、上記従来の技術においても、以下の課題が残されている。
すなわち、特許文献１には、チップアンテナの長さ及び回路基板の長さ、各々の調整により、回路基板に励振させる共振電流をコントロールする必要があり、アンテナ設計、回路基板設計、基板サイズ等、各設計の自由度が無く、所望の指向性をフレキシブルに調整することは困難である。また、各チップアンテナの長手方向がモジュールの長手方向に直交する配置となっているため、主な指向性方向はチップアンテナが直交する方向（基板の長手方向）に限定されてしまい、所望の指向性をフレキシブルに調整することは困難である。
また、各チップアンテナには、送受信周波数の波長（λ）に対してλ／２またはλ／４で励振する放射電極と接地電極とを有し、接地電極が回路基板の長手方向の一辺側に向くように配置されているため、アンテナの設置状態、回路基板、周辺のＧＮＤ配置等の影響により、回路基板内を励振させる共振電流を所望の方向に流すことは困難であり、小型化と同時に所望の指向性をフレキシブルに調整することは困難である。
さらに、特許文献１には、回路基板の一辺近傍に設置された２つのチップアンテナが互いに直交する向きに設置されていると共に回路基板の前記一辺に対して平行又は直交している例も記載されているが、一方のチップアンテナからの放射が他方に干渉してしまうために、この場合も回路基板の長手方向に指向性が限定されてしまう不都合があった。
また、特許文献２では、アンテナ性能、特に、指向性方向が基板サイズ及び基板形状に影響を受けてしまい、設計の自由度が限られると共に、所望の指向性を含めたアンテナ性能をフレキシブルに実現することは困難である。さらに、位相切り替え機を必要としており、各アンテナ間の間隔、アンテナ占有領域の影響により、複雑化、周波数調整、インピーダンス調整が困難な場合が発生すると共に、各アンテナ間の干渉等により、所望のダイバーシチ効果をフレキシブルに実現することは困難である。
【０００７】
本発明は、前述の課題に鑑みてなされたもので、所望の指向性及びダイバーシチ効果をフレキシブルに実現可能なアンテナ装置を提供することを目的とする。
【課題を解決するための手段】
【０００８】
本発明は、前記課題を解決するために以下の構成を採用した。すなわち、第１の発明に係るアンテナ装置は、絶縁性の基板本体と、該基板本体に金属箔でパターン形成されたグランド面と、該グランド面が形成されていない領域として前記基板本体上に前記グランド面の一部を挟んで前記基板本体の一つの端辺側に配された一対のアンテナ占有領域と、前記一対のアンテナ占有領域内に金属箔でパターン形成され前記グランド面近傍に配された基端側に給電点がそれぞれ設けられる一対のアンテナエレメントとを備え、前記アンテナエレメントが、基端側の少なくとも一部が前記給電点近傍の前記グランド面の端辺に対して直交する方向に延在し、基端側の途中に受動素子が接続されていると共に先端側に前記グランド面の端辺に沿った方向に延在する誘電体アンテナのアンテナ素子が接続され、前記一対のアンテナエレメントの基端側に配された前記グランド面の端辺が、一方に対して他方が異なる方向に延在していると共に少なくとも一方が前記基板本体の前記端辺に対して傾斜していることを特徴とする。
【０００９】
このアンテナ装置では、一対のアンテナエレメントの基端側に配されたグランド面の端辺が、一方に対して他方が異なる方向に延在していると共に少なくとも一方が前記基板本体の前記端辺に対して傾斜しているので、一対のアンテナエレメントの放射が互いに干渉せず、傾斜した角度に応じて各アンテナ間の放射パターンが傾き、所望の指向性が得られてフレキシブルなダイバーシチ効果を実現可能である。
【００１０】
第２の発明にアンテナ装置は、第１の発明において、前記一対のアンテナエレメントの基端側に配された前記グランド面の端辺が、前記基板本体の前記端辺に直交する方向に対して４５°と−４５°とに傾斜して延在していることを特徴とする。
すなわち、このアンテナ装置では、一対のアンテナエレメントの基端側に配されたグランド面の端辺が、基板本体の前記端辺に直交する方向に対して４５°と−４５°とに傾斜して延在しているので、一対のアンテナ間で感度の弱い方向・偏波を補完し合い、等方性に近い特性を得ることができる。
【００１１】
第３の発明にアンテナ装置は、第１又は第２の発明において、前記一対のアンテナエレメントの前記アンテナ素子が、互いに反対側に先端を向けて延在していることを特徴とする。
すなわち、このアンテナ装置では、一対のアンテナエレメントのアンテナ素子が、互いに反対側、すなわち互いに外側に先端を向けて延在しているので、互いに内側に先端を向けて配置する場合に比べて、干渉し難く、良好なアンテナ特性を得ることができる。
【００１２】
第４の発明にアンテナ装置は、第３の発明において、前記アンテナエレメントが、前記基端側の途中に一端が接続され他端が前記給電点から離間した位置で前記グランド面に接続されたグランド接続延在部を有し、前記グランド接続延在部にインピーダンス調整用の受動素子が接続され、前記一対のアンテナエレメントの前記グランド接続延在部が、互いに内側に向けて配されていることを特徴とする。
すなわち、このアンテナ装置では、グランド接続延在部にインピーダンス調整用の受動素子が接続され、一対のアンテナエレメントのグランド接続延在部が、互いに内側に向けて配されているので、受動素子の設定によりフレキシブルにインピーダンス調整を行うことができると共に、グランド接続延在部が、外側に向いたアンテナ素子とグランド面との間で干渉せず、良好なアンテナ特性が得られる。また、各アンテナ間に配置されたグランド面にアンテナ素子から効果的に高周波電流を流すことができる。
【００１３】
第５の発明にアンテナ装置は、第１から第４の発明のいずれかにおいて、前記アンテナ素子と前記グランド面との距離が、共振周波数に応じた波長をλとしたときに、λ／１６（１６分の１波長）以下に設定されていることを特徴とする。
すなわち、このアンテナ装置では、アンテナ素子とグランド面との距離が、共振周波数に応じた波長をλとしたときに、λ／１６以下に設定されているので、アンテナ占有領域の小型化とアンテナ特性の高性能化との両立が可能になる。
【００１４】
第６の発明にアンテナ装置は、第１から第５の発明のいずれかにおいて、一対の前記給電点の間の距離が、共振周波数に応じた波長をλとしたときに、λ／４（４分の１波長）以下に設定されていることを特徴とする。
すなわち、このアンテナ装置では、一対の給電点の間の距離が、共振周波数に応じた波長をλとしたときに、λ／４以下に設定されているので、基板本体全体の小型化とアンテナ特性の高性能化との両立が可能になる。
【発明の効果】
【００１５】
本発明によれば、以下の効果を奏する。
本発明のアンテナ装置によれば、一対のアンテナエレメントの基端側に配されたグランド面の端辺が、一方に対して他方が異なる方向に延在していると共に少なくとも一方が基板本体の前記端辺に対して傾斜しているので、一対のアンテナエレメントの放射が互いに干渉せず、傾斜した角度に応じて各アンテナ間の放射パターンが傾き、所望の指向性が得られてフレキシブルなダイバーシチ効果を実現可能である。
【図面の簡単な説明】
【００１６】
【図１】本発明に係るアンテナ装置の一実施形態を示す平面図である。
【図２】本実施形態において、アンテナ装置を示す要部を拡大した配線図である。
【図３】本実施形態において、アンテナ素子を示す斜視図（ａ）、平面図（ｂ）、正面図（ｃ）及び底面図（ｄ）である。
【図４】本実施形態において、放射パターンの推移イメージを示す説明図である。
【図５】本実施形態において、一方のアンテナエレメントを示す配線図（ａ）と従来の逆Ｆ型パターンのアンテナを示す配線図（ｂ）である。
【図６】本実施形態において、アンテナ素子とグランド面との距離と、アンテナ利得との関係を示すグラフである。
【図７】本発明に係るアンテナ装置の実施例において、一対のアンテナエレメントのＶＳＷＲ特性を示すグラフである。
【図８】本発明の実施例において、一対のアンテナエレメントの放射パターンを示すグラフである。
【図９】本発明にかかるアンテナ装置の他の実施形態を示す、一方のアンテナエレメントを示す配線図である。
【発明を実施するための形態】
【００１７】
以下、本発明に係るアンテナ装置の一実施形態を、図１から図６を参照しながら説明する。
【００１８】
本実施形態におけるアンテナ装置１は、図１及び図２に示すように、長方形状とされた絶縁性の基板本体２と、該基板本体２に銅箔等の金属箔でパターン形成されたグランド面ＧＮＤと、該グランド面ＧＮＤが形成されていない領域として基板本体２上にグランド面ＧＮＤの一部を挟んで基板本体２の一つの端辺２ａ側に配された一対のアンテナ占有領域ＯＰ１，ＯＰ２と、一対のアンテナ占有領域ＯＰ１，ＯＰ２内に銅箔等の金属箔でパターン形成されグランド面ＧＮＤ近傍に配された基端側に給電点ＦＰがそれぞれ設けられる一対のアンテナエレメント３Ａ，３Ｂとを備えている。
【００１９】
上記一対のアンテナエレメント３Ａ，３Ｂは、基端側の少なくとも一部が給電点ＦＰ近傍のグランド面ＧＮＤの端辺Ｇ１，Ｇ２に対して直交する方向に延在し、基端側の途中に２つの第１受動素子Ｐ１ａ，Ｐ１ｂが接続されていると共に先端側にグランド面ＧＮＤの端辺Ｇ１，Ｇ２に沿った方向に延在する誘電体アンテナのアンテナ素子ＡＴ１，ＡＴ２が接続されている。すなわち、アンテナ素子ＡＴ１，ＡＴ２は、それぞれ対向するグランド面ＧＮＤの端辺Ｇ１，Ｇ２に対して平行に配置されている。
【００２０】
また、一対のアンテナエレメント３Ａ，３Ｂのアンテナ素子ＡＴ１，ＡＴ２は、互いに反対側に先端を向けて延在している。
また、一対のアンテナエレメント３Ａ，３Ｂの基端側に配されたグランド面ＧＮＤの端辺Ｇ１，Ｇ２が、一方に対して他方が異なる方向に延在していると共に少なくとも一方が基板本体２の端辺２ａに対して傾斜している。すなわち、グランド面ＧＮＤの端辺Ｇ１，Ｇ２の少なくとも一方は、基板本体２の端辺２ａに対して絶対値で０°を超えて９０°未満の角度で延在している。
【００２１】
本実施形態では、一対のアンテナエレメント３Ａ，３Ｂの基端側に配されたグランド面ＧＮＤの端辺Ｇ１，Ｇ２が、図２に示すように、基板本体２の端辺２ａに直交する方向に対して４５°と−４５°とに傾斜して延在している。すなわち、各グランド面ＧＮＤの端辺Ｇ１，Ｇ２は、基板本体２の長手方向に対して斜めに延在し、アンテナエレメント３Ａの基端側に配されたグランド面ＧＮＤの端辺Ｇ１と基板本体２の長手方向との角度θは、４５°に設定され、アンテナエレメント３Ｂの基端側に配されたグランド面ＧＮＤの端辺Ｇ２と基板本体２の長手方向との角度θは、−４５°に設定されている。なお、グランド面ＧＮＤの端辺Ｇ１，Ｇ２の各角度は、互いに感度の弱い方向・偏波を補完し合うように、上記のように絶対値を同一に設定しているが、所望のダイバーシチ効果の条件に応じて、グランド面ＧＮＤの端辺Ｇ１，Ｇ２の各角度は同一でなくても構わない。
【００２２】
アンテナエレメント３Ａ，３Ｂは、基端側の途中に一端が接続され他端が給電点ＦＰから離間した位置でグランド面ＧＮＤに接続されたグランド接続延在部３ａを有し、グランド接続延在部３ａにインピーダンス調整用の第２受動素子Ｐ２が接続されている。
また、一対のアンテナエレメント３Ａ，３Ｂのグランド接続延在部３ａは、互いに内側に向けて配されている。
【００２３】
上記基板本体２は、一般的なプリント基板であって、本実施形態では、長方形状のガラスエポキシ樹脂等からなるプリント基板の本体を採用している。
上記一対のアンテナ占有領域ＯＰ１，ＯＰ２は、基板本体２の同じ端辺２ａの両端にある一対の角部に、グランド面ＧＮＤを三角形状に切り欠いた形状で設けられている。また、各アンテナ占有領域ＯＰ１，ＯＰ２に接するグランド面ＧＮＤの端辺Ｇ１，Ｇ２は、互いに直交する方向に延在している。
なお、グランド面ＧＮＤには、ＲＦ回路部品実装領域を設けることができ、複数の部品が実装可能である。
【００２４】
上記アンテナエレメント３Ａ，３Ｂは、グランド面ＧＮＤの端辺Ｇ１，Ｇ２に対して垂直方向に給電点ＦＰからアンテナ素子ＡＴ１，ＡＴ２の一端まで延在している。また、アンテナエレメント３Ａ，３Ｂは、アンテナ素子ＡＴ１，ＡＴ２の他端を実装するためのランド部３ｂを有している。
上記給電点ＦＰには、例えば高周波回路に接続された同軸ケーブル（図示略）の芯線が接続され、該同軸ケーブルのグランド線は、近傍のグランド面ＧＮＤに接続される。
【００２５】
上記第１受動素子Ｐ１ａ，Ｐ１ｂ及び第２受動素子Ｐ２は、例えばインダクタ、コンデンサまたは抵抗が採用される。なお、本実施形態では、２つの第１受動素子Ｐ１ａ，Ｐ１ｂが直列に接続されている。
上記アンテナ素子ＡＴ１，ＡＴ２は、所望の共振周波数に自己共振しないローディング素子であって、例えば図３に示すように、セラミックス等の誘電体２１の表面にＡｇ等の導体パターン２２が形成されたチップアンテナである。
【００２６】
上記アンテナ素子ＡＴ１，ＡＴ２とグランド面ＧＮＤとの距離ａが、共振周波数に応じた波長をλとしたときに、λ／１６（１６分の１波長）以下に設定されている。
例えば、図５の（ｂ）に示すように、通常のパターンアンテナ１３で形成された逆Ｆ型アンテナを考えた場合、基板サイズ、周辺の設計条件によっても異なるが、図６に示すように、パターンアンテナ１３とグランド面ＧＮＤとの距離ａは、距離を離すほど性能は向上し、λ／４程度で飽和する傾向となる。また、その際のパターンアンテナ１３の長さがλ／４程度と長くなるため、小型化と高性能化とを容易に両立することは困難となる。
【００２７】
これに対して、本発明の実施形態の場合、図５の（ａ）に示すように、給電点ＦＰからアンテナ素子ＡＴ１，ＡＴ２までの間にグランド面ＧＮＤが重なっておらず、この間にアンテナエレメント３Ａ，３Ｂが設けられグランド面ＧＮＤをカットした端辺Ｇ１，Ｇ２に対して少なくとも一部が垂直に配置されているので、アンテナエレメント３Ａ，３Ｂ内にグランド面ＧＮＤの影響を受けない部分が少なくとも１箇所存在し、その部分に第１受動素子Ｐ１ａ，Ｐ１ｂを設けることにより、その電気長をコントロールしてフレキシブルに共振周波数の調整を行うことができる。
【００２８】
また、アンテナ素子ＡＴ１，ＡＴ２は、所望の共振周波数に対して自己共振しないローディング素子となっており、これらの組み合わせにより、アンテナ素子ＡＴ１，ＡＴ２とグランド面ＧＮＤとの距離の影響を低減させることが可能となる。
そのため、当然、アンテナ素子ＡＴ１，ＡＴ２とグランド面ＧＮＤとの距離ａは離した方が望ましいが、図６に示すように、本発明の実施形態では、距離ａをλ／１６以下にしても、アンテナ利得の低下が小さく、高性能化を実現可能となる。これにより、アンテナ占有領域ＯＰ１，ＯＰ２の小型化と同時に、高性能化の両立を実現できる。
【００２９】
なお、上記一対の給電点ＦＰの間の距離は、λ／４（４分の１波長）以下に設定されることが好ましい。すなわち、アンテナ占有領域ＯＰ１，ＯＰ２の間にグランド面ＧＮＤが介在しているので、アンテナ間の干渉が少なく、給電点間距離が４分の１波長以下にしても、高性能化を実現可能となる。
【００３０】
このように本実施形態のアンテナ装置１では、 一対のアンテナエレメント３Ａ，３Ｂの基端側に配されたグランド面ＧＮＤの端辺Ｇ１，Ｇ２が、一方に対して他方が異なる方向に延在していると共に少なくとも一方が基板本体２の端辺２ａに対して傾斜しているので、一対のアンテナエレメント３Ａ，３Ｂの放射が互いに干渉せず、傾斜した角度に応じて各アンテナ間の放射パターンが傾き、所望の指向性が得られてフレキシブルなダイバーシチ効果を実現可能である。
【００３１】
また、一対のアンテナエレメント３Ａ，３Ｂの基端側に配されたグランド面ＧＮＤの端辺Ｇ１，Ｇ２が、基板本体２の端辺２ａに直交する方向に対して４５°と−４５°とに傾斜して延在しているので、一対のアンテナ間で感度の弱い方向・偏波を補完し合い、等方性に近い特性を得ることができる。
また、一対のアンテナエレメント３Ａ，３Ｂのアンテナ素子ＡＴ１，ＡＴ２が、互いに反対側、すなわち互いに外側に先端を向けて延在しているので、互いに内側に先端を向けて配置する場合に比べて、干渉し難く、良好なアンテナ特性を得ることができる。
【００３２】
さらに、グランド接続延在部３ａにインピーダンス調整用の第２受動素子Ｐ２が接続され、一対のアンテナエレメント３Ａ，３Ｂのグランド接続延在部３ａが、互いに内側に向けて配されているので、第２受動素子Ｐ２の設定によりフレキシブルにインピーダンス調整を行うことができると共に、グランド接続延在部３ａが、外側に向いたアンテナ素子ＡＴ１，ＡＴ２とグランド面ＧＮＤとの間で干渉せず、良好なアンテナ特性が得られる。また、各アンテナ間に配置されたグランド面ＧＮＤにアンテナ素子ＡＴ１，ＡＴ２から効果的に高周波電流を流すことができる。
【００３３】
また、アンテナ素子ＡＴ１，ＡＴ２とグランド面ＧＮＤとの距離ａが、波長の１６分の１以下に設定されているので、アンテナ占有領域ＯＰ１，ＯＰ２の小型化とアンテナ特性の高性能化との両立が可能になる。
さらに、一対の給電点ＦＰの間の距離が、波長の４分の１以下に設定されているので、基板本体２全体の小型化とアンテナ特性の高性能化との両立が可能になる。
【実施例】
【００３４】
次に、上記実施形態のアンテナ装置に基づいて作製した実施例において、ＶＳＷＲ特性及び放射パターンについて測定した結果を、図７及び図８を参照して説明する。
【００３５】
なお、この実施例のアンテナ装置は、基板本体サイズが８０×７０ｍｍである。
また、各受動素子として、第１受動素子Ｐ１ａは８．７ｎＨのインダクタであり、第１受動素子Ｐ１ｂは３５．０ｎＨのインダクタである。また、第２受動素子Ｐ２は４．０ｎＨのインダクタである。
また、基板本体２の長手方向でアンテナ占有領域側に向かう方向をＸ方向とし、基板本体のアンテナ占有領域側の端辺２ａに沿った方向でアンテナ占有領域ＯＰ１からアンテナ占有領域ＯＰ２へ向かう方向をＹ方向とし、基板本体２の表面に対する垂直方向をＺ方向とした。この際のＸＹ面に対する電力利得を測定した。
【００３６】
図７の（ａ）に示す一方のアンテナエレメント３ＡのＶＳＷＲ特性と、図７の（ｂ）に示す他方のアンテナエレメント３ＢのＶＳＷＲ特性とからわかるように、両方のアンテナ共に良好なアンテナ特性を実現している。
なお、アンテナエレメント３Ａは、中心周波数：９１４ＭＨｚ、中心周波数のＶＳＷＥ：１．０４、ＶＳＷＲ＝３以下の帯域幅：４１．５ＭＨｚであった。また、アンテナエレメント３Ｂは、中心周波数：９１４ＭＨｚ、中心周波数のＶＳＷＥ：１．０５、ＶＳＷＲ＝３以下の帯域幅：４１．２ＭＨｚであった。
また、図８の（ａ）に示す一方のアンテナエレメント３Ａの放射特性と、図８の（ｂ）に示す他方のアンテナエレメント３Ｂの放射特性とからわかるように、２つのアンテナで感度の弱い方向・偏波を補完し合い、等方性に近い感度を得ることが可能であり、ダイバーシチ方式に効果的な特性が実現できる。
【００３７】
なお、本発明は上記実施形態及び上記実施例に限定されるものではなく、本発明の趣旨を逸脱しない範囲において種々の変更を加えることができる。
【００３８】
例えば、上記実施形態では、アンテナエレメントが給電点からグランド面の端辺に垂直な方向に延在しているが、少なくとも一部が垂直に配置されていればよい。例えば、実施形態の他の例として、図９に示すように、アンテナエレメント３３が、給電点ＦＰからグランド面ＧＮＤの端辺Ｇ１，Ｇ２に対して斜め４５°の方向に延在する斜め延在部３３ａと、グランド面ＧＮＤの端辺Ｇ１，Ｇ２に対して垂直な方向に延在する垂直延在部３３ｂとを有したものでも構わない。このように、アンテナエレメント３３の少なくとも一部（垂直延在部３３ｂ）が、グランド面ＧＮＤの端辺Ｇ１，Ｇ２から垂直方向に延在することにより、グランド面ＧＮＤの端辺Ｇ１，Ｇ２及びアンテナ素子ＡＴに直交する部分が発生し、干渉を低減して広帯域化及び高性能化させることが可能になる。
また、上記実施形態では、一対のアンテナエレメントにおいて同じアンテナ素子及び同じ定数の受動素子を採用しているが、条件により互いに異なるアンテナ素子や受動素子を採用しても構わない。
【符号の説明】
【００３９】
１…アンテナ装置、２…基板本体、２ａ…基板本体の端辺、３Ａ，３Ｂ，３３…アンテナエレメント、３ａ…グランド接続延在部、ＡＴ１，ＡＴ２…アンテナ素子、ＦＰ…給電点、ＧＮＤ…グランド面、Ｇ１，Ｇ２…グランド面の端辺、Ｐ１ａ，Ｐ１ｂ…第１受動素子、Ｐ２…第２受動素子
【図１】
2014033288.tif 000003
【図２】
2014033288.tif 000004
【図３】
2014033288.tif 000005
【図４】
2014033288.tif 000006
【図５】
2014033288.tif 000007
【図９】
2014033288.tif 000008
【図６】
2014033288.tif 000009
【図７】
2014033288.tif 000010
【図８】
2014033288.tif 000011